(57)【要約】【課題】本発明は、電池電源電力の消費削減を行う。【解決手段】複合装置１は、外部から供給される外部電源電力から複合装置１内で利用する内部電源電力を電源部４３で生成し、また、外部電源電力によって電池部１０に蓄電して、蓄電電力から内部電源電力を生成する。複合装置１は、外部電源電力の外部からの供給／非供給を電池部１０の電圧検出部で検出し、該電圧検出結果に基づいて、内部電源電力の複合装置１内への供給を電源部４３の切替回路で制御する。複合装置１は、電圧検出部が外部電源電力の非供給を検出し、人体検知センサ１１が複合装置１の周囲において人体を検出すると、前記切替回路に前記蓄電電力を前記内部電源電力として供給させる。【選択図】          図２
2015123666.tif 000002
【特許請求の範囲】
【請求項１】
外部から供給される外部電源電力から装置内で利用する内部電源電力を生成する電源手段と、
蓄電している蓄電電力から装置内で利用する内部電源電力を生成する蓄電手段と、
前記外部電源電力の外部からの供給／非供給を検出する外部電源電力状態検出手段と、
前記内部電源電力の前記装置内への供給を制御する電源供給制御手段と、
前記装置の周囲所定範囲における人体の有無を検出する人体検出手段と、
前記外部電源電力状態検出手段が前記外部電源電力の非供給を検出し、前記人体検出手段が人体を検出すると、前記電源供給制御手段に前記蓄電電力を前記内部電源電力として供給させる電源制御手段と、
を備えていることを特徴とする電源制御装置。
【請求項２】
前記電源供給制御手段は、
前記蓄電手段の生成する前記蓄電電力を、前記装置内の主要部にのみ前記内部電源電力として供給する蓄電省電力モードを実行する蓄電省電力手段を備え、
前記電源制御手段は、
前記外部電源電力状態検出手段が前記外部電源電力の非供給状態を検出し、前記人体検出手段が、人体の検出状態から非検出状態になると、前記蓄電省電力手段に前記蓄電省電力モードを実行させることを特徴とする請求項１記載の電源制御装置。
【請求項３】
前記電源制御装置は、
所定の電源ＯＦＦ待機時間を計時するＯＦＦ時間計時手段を、さらに備え、
前記電源制御手段は、
前記装置に対する操作または動作要求が非発生の状態で、前記ＯＦＦ時間計時手段が前記電源ＯＦＦ待機時間を計時すると、前記電源供給制御手段に前記内部電源電力の前記装置内への供給を遮断させることを特徴とする請求項１または請求項２記載の電源制御装置。
【請求項４】
前記電源制御手段は、
前記蓄電省電力モードにおいて、前記人体検出手段が人体を検出することなく、前記ＯＦＦ時間計時手段が前記電源ＯＦＦ待機時間を計時すると、前記電源供給制御手段に前記内部電源電力の前記装置内への供給を遮断させることを特徴とする請求項３記載の電源制御装置。
【請求項５】
前記電源制御装置は、
所定の省電力待機時間を計時する省電力計時手段を、さらに備え、
前記電源制御手段は、
前記電源供給制御手段が前記蓄電電力を前記内部電源電力として供給し、かつ、前記人体検出手段が人体を検出している状態において、前記装置に対する操作または動作要求が非発生の状態で、前記省電力計時手段が前記省電力待機時間を計時すると、前記蓄電省電力手段に前記蓄電省電力モードを実行させることを特徴とする請求項１から請求項４のいずれかに記載の電源制御装置。
【請求項６】
前記電源制御装置は、
前記電源ＯＦＦ待機時間と前記省電力待機時間のうち少なくとも一方を設定する設定手段と、
情報を報知出力する報知手段と、
をさらに備え、
前記電源制御手段は、
前記設定手段による設定によって、前記電源ＯＦＦ待機時間が前記省電力時間よりも短くなると、該電源ＯＦＦ待機時間が該省電力時間よりも短いことを、前記報知手段に報知出力させることを特徴とする請求項５記載の電源制御装置。
【請求項７】
電源制御部から供給される内部電源電力を利用して、画像処理動作を行う画像処理装置であって、前記電源制御部として、請求項１から請求項６のいずれかに記載の電源制御装置を備えていることを特徴とする画像処理装置。
【請求項８】
外部から供給される外部電源電力から装置内で利用する内部電源電力を生成する電源処理ステップと、
蓄電している蓄電電力から装置内で利用する内部電源電力を生成する蓄電処理ステップと、
前記外部電源電力の外部からの供給／非供給を検出する外部電源電力状態検出処理ステップと、
前記内部電源電力の前記装置内への供給を制御する電源供給制御処理ステップと、
前記装置の周囲所定範囲における人体の有無を検出する人体検出処理ステップと、
前記外部電源電力状態検出処理ステップで前記外部電源電力の非供給が検出され、前記人体検出処理ステップで人体が検出されると、前記電源供給制御処理ステップで前記蓄電電力を前記内部電源電力として供給させる電源制御処理ステップと、
を有していることを特徴とする電源制御方法。
【請求項９】
制御プロセッサに、
外部から供給される外部電源電力から装置内で利用する内部電源電力を生成する電源処理と、
蓄電している蓄電電力から装置内で利用する内部電源電力を生成する蓄電処理と、
前記外部電源電力の外部からの供給／非供給を検出する外部電源電力状態検出処理と、
前記内部電源電力の前記装置内への供給を制御する電源供給制御処理と、
前記装置の周囲所定範囲における人体の有無を検出する人体検出処理と、
前記外部電源電力状態検出処理で前記外部電源電力の非供給が検出され、前記人体検出処理で人体が検出されると、前記電源供給制御処理で前記蓄電電力を前記内部電源電力として供給させる電源制御処理と、
を実行させることを特徴とする電源制御プログラム。
【発明の詳細な説明】
【技術分野】
【０００１】
本発明は、電源制御装置、画像処理装置、電源制御方法及び電源制御プログラムに関し、詳細には、蓄電電源電力の消費削減を行う電源制御装置、画像処理装置、電源制御方法及び電源制御プログラムに関する。
【背景技術】
【０００２】
プリンタ装置、複合装置、スキャナ装置等の画像処理装置は、近年、蓄電電源部を搭載し、該蓄電電源部の蓄電電源電力を利用して画像処理動作を行う画像処理装置がある。
【０００３】
このような画像処理装置は、蓄電電源部の蓄電電力を動作電力として駆動する場合と、外部電源電力を動作電力として駆動する場合とがある。
【０００４】
蓄電電源部を備えた画像処理装置は、その電源部に、蓄電電源部の電池を充電する充電回路を搭載しており、外部電源電力が接続されると、充電回路によって蓄電電源部の電池を充電する。
【０００５】
また、このような画像処理装置は、外部電源電力が供給されている状態で、動作が可能となっており、この場合、該外部電源電力を動作電力として動作する。また、外部電源電力が供給されていると、画像処理装置は、ＡＣ／ＤＣ変換した定格電力と動作電力との差分を、充電電力として利用して蓄電電源部の電池を充電可能である。
【０００６】
そして、このような画像処理装置は、外部電源電力が供給されていない状態（電源ケーブルが接続されていない状態）では、蓄電電源部の蓄電電力を動作電力として動作するため、待機状態が継続している場合にも、各部への電源電力を蓄電電源部から供給する。したがって、待機状態時に蓄電電源部の蓄電電力が消費され、その後、蓄電電力を動作電力として画像処理装置を稼働させる際に、電力不足が発生することがあった。
【０００７】
そして、従来、商用電源から供給される電力を画像形成装置の動作のために供給する主電源回路と、前記主電源回路から供給される電力を蓄電し、前記画像形成装置の動作のために供給する補助電源回路と、前記補助電源回路を蓄電させる蓄電モードと前記補助電源回路に充電された電力を放電させる放電モードとを切り替える切替回路と、前記画像形成装置が所定時間像形成を行わないと、前記画像形成装置を省電力状態に移行させる制御部と、前記画像形成装置の周りに人がいるか否かを検知する人体検知手段と、を有し、前記制御部は、前記省電力状態が解除された際に、前記人体検知手段で人がいることが検知されていない場合、前記補助電源回路を前記蓄電モードで動作させ、前記主電源回路からの電力で前記像形成装置を動作させ、前記人体検知手段で人がいることが検知された場合、前記補助電源を前記放電モードで動作させ、前記主電源回路からの電力と前記補助電源回路からの電力とで前記画像形成装置を動作させる画像形成装置が提案されている（特許文献1参照）。
【０００８】
すなわち、この従来技術は、人体検知手段の検知結果に基づいて、補助電源回路を蓄電モードと放電モードに切り替えることで、人がいるときの速やかな動作の確保を行うとともに、人がいないときの補助電源回路への充電を行って、補助電源回路の有効利用を図っている。
【発明の概要】
【発明が解決しようとする課題】
【０００９】
しかしながら、上記公報記載の従来技術にあっては、人体検知手段の検知結果に基づいて、補助電源回路を蓄電モードと放電モードに切り替えているが、外部電源電力が供給されていない状態、すなわち、電源電力が補助電源回路である蓄電電源部のみであるときについては考慮されていない。したがって、電源ケーブルが接続されていない場合や電源ケーブルが接続されていても蓄電電源部への外部電源の供給も停止するメイン電源スイッチがオフの場合には、画像処理装置の電源をオン／オフする電源スイッチがオンの状態のままであると、無駄な電力が蓄電電源部から画像処理装置内部に供給されて消費される。その結果、その後、蓄電電力を動作電力として画像処理装置を稼働させる際に、電力不足が発生するおそれがあった。
【００１０】
そこで、本発明は、外部電源電力が非供給の状態における蓄電電力の消費を抑制することを目的としている。
【課題を解決するための手段】
【００１１】
上記目的を達成するために、請求項１記載の電源制御装置は、外部から供給される外部電源電力から装置内で利用する内部電源電力を生成する電源手段と、前記外部電源電力によって蓄電される蓄電電力を装置内で利用する内部電源電力として生成する蓄電手段と、前記外部電源電力の外部からの供給／非供給を検出する外部電源電力状態検出手段と、前記内部電源電力の前記装置内への供給を制御する電源供給制御手段と、前記装置の周囲所定範囲における人体の有無を検出する人体検出手段と、前記外部電源電力状態検出手段が前記外部電源電力の非供給を検出し、前記人体検出手段が人体を検出すると、前記電源供給制御手段に前記蓄電電力を前記内部電源電力として供給させる電源制御手段と、を備えていることを特徴としている。
【発明の効果】
【００１２】
本発明によれば、外部電源電力が非供給の状態における蓄電電力の消費を抑制することができる。
【図面の簡単な説明】
【００１３】
【図１】本発明の一実施例を適用した複合装置の外観斜視図。
【図２】複合装置のブロック図。
【図３】人体検知センサの検知状態の説明図。
【図４】電源制御処理を示すフローチャート。
【図５】図４の続きの処理を示すフローチャート。
【図６】タイマ処理を示すフローチャート。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図６は、本発明の電源制御装置、画像処理装置、電源制御方法及び電源制御プログラムの一実施例を示す図であり、図１は、本発明の電源制御装置、画像処理装置、電源制御方法及び電源制御プログラムの一実施例を適用した複合装置１の外観斜視図である。
【００１６】
図１において、複合装置（画像処理装置）１は、本体筐体２の上部に、スキャナ部３が配設され、本体筐体２内に、プリンタ部４、給紙部５及び排紙部６等が設けられている。また、複合装置１は、本体筐体２の上部前面に、操作表示部７が設けられており、操作表示部７には、各種キーが設けられているとともに、ディスプレイ８が設けられている。
【００１７】
スキャナ部３としては、例えば、光電変換素子としてＣＣＤ(Charge Coupled Device)またはＣＭＯＳ（Complementary Metal Oxide Semiconductor ）を用いたスキャナが用いられており、ＡＲＤＦ（自動両面原稿搬送装置）３ａ（図２参照）を備えている。
【００１８】
スキャナ部３は、ＡＲＤＦ３ａから原稿読取位置に搬送されてくる原稿を走査して、該原稿の画像を読み取る。
【００１９】
プリンタ部４は、種々の印刷方式のプリンタを用いることができ、本実施例では、インク吐出式プリンタが用いられている。プリンタ部４は、記録ヘッド４ａ（図２参照）を備えており、記録ヘッド４ａは、インク滴を被記録媒体である用紙に向かって吐出して画像を形成するノズル列４ｂを搭載している。プリンタ部４は、スキャナ部３の読み取った原稿の画像データや外部の端末機器、例えば、コンピュータ等から有線または無線のネットワークを介して送信されてきた画像データに基づいて、記録ヘッド４ａの搭載する図示しないヘッドドライバによってノズル列４ａのノズルを駆動して、インク滴を用紙に吐出させることで、用紙に画像を形成する。排紙部６は、プリンタ部４で画像形成された用紙を、排紙トレイへ排出する。
【００２０】
複合装置１は、本体筐体２の前面側に、開閉カバー９が設けられており、開閉カバー９の本体筐体２内には、電池部１０が取り替え可能な状態で収納されている。
【００２１】
複合装置１は、本体筐体２の前面には、人体検知センサ１１が設けられており、人体検知センサ（人体検出手段）１１は、赤外線センサ、光センサ、超音波センサ等を用いることができるが、本実施例では、赤外線センサが用いられているものとして、以下説明する。人体検知センサ１１は、赤外線センサの場合、例えば、赤外線発光素子（例えば、赤外線ＬＥＤ（Light Emitting Diode）、受光素子（フォトトランジスタ）及び光学素子等で構成され、検知物としての人体の有無を検知する。
【００２２】
そして、複合装置１は、図２に示すようにブロック構成されている。複合装置１は、図２に示すように、コントローラ部２０、プリンタ制御部３０、ハードディスク（ＨＤＤ）４１、ＦＣＵ（Facsimile Control Unit）４２、電源部４３、電装部４４等を備えているとともに、上記ＡＲＤＦ３ａを備えたスキャナ部３、ノズル列４ｂを搭載する記録ヘッド４ａ等を備えたプリンタ部４、電池部１０及び操作表示部７等を備えている。そして、電池部１０、人体検知センサ１１、コントローラ部２０、プリンタ制御部３０、電源部４３、メインスイッチ４５及び電源プラグ４６の接続されている電源ケーブル４７は、全体として、電源制御部（電源制御装置）５０として機能している。複合装置１は、この電源制御部５０を備えた画像処理装置となっている。
【００２３】
電池部（蓄電手段）１０は、メイン電源スイッチ４５を介して、先端に電源プラグ４６の接続されている電源ケーブル４７が接続されており、電源プラグ４６は、外部電源電力（例えば、ＡＣ１００Ｖの商用電源電力）のコンセントに、着脱可能に挿入される。
【００２４】
メイン電源スイッチ４５は、ユーザによって、ＯＮ／ＯＦＦ操作されることで、電源ケーブル４７を通して供給される外部電源電力の電池部１０への供給／供給遮断を行う。
【００２５】
電池部１０は、図示しないが、所定容量の二次電池、充電回路、電圧検出部及び切替回路等を備えており、充電回路は、ＡＣ（交流）の外部電源電力を直流変換及び電圧変換して、二次電池を充電する。電圧検出部（外部電源電力状態検出手段）は、電源ケーブル４７を通して供給される外部電源電力の電圧値を検出し、検出電圧値をコントローラ部２０へ出力する。すなわち、電圧検出部は、外部電源電力の外部からの供給／非供給を検出する外部電源電力状態検出処理を実行する。電池部１０の二次電池は、例えば、リチウムイオン電池等が用いられ、ＤＣ（直流）の蓄電電力を供給する能力を有している。切替回路は、電圧検出部が、外部電源電力の供給状態の電圧値（例えば、１００Ｖ）を検出していると、コントローラ部２０の制御下で、該外部電源電力を電源部４３へ供給するとともに、充電回路にも供給し、充電回路が上述のように二次電池を充電（蓄電）する。切替回路は、電圧検出部が、外部電源電力の供給状態電圧値を検出していない（例えば、０Ｖ）ときには、二次電池の蓄電電力を電源部４３へ供給させる。すなわち、電池部１０は、外部電源電力によって蓄電される蓄電電力から複合装置１内で利用する内部電源電力を生成する蓄電処理を実行する。
【００２６】
電源部（電源手段）４３は、整流回路、切替回路及び省電力部等を備えており、ＡＣの外部電源電力が電池部１０を通して供給されるときには、切替回路（電源供給制御手段）が供給される外部電源電力を整流回路に供給する。整流回路は、該外部電源電力から複合装置１の各部に必要な各種電圧のＤＣの内部電源電力を生成して、該各部へ供給する。電源部４３は、ＡＣの外部電源電力が供給されず、電池部１０から蓄電電力が供給されているときには、切替回路が、該蓄電電力を複合装置１の各部へ内部電源電力として供給する。すなわち、切替回路は、内部電源電力の複合装置１内への供給を制御する電源供給制御処理を行う。省電力部（蓄電省電力手段）は、電池部１０の生成する蓄電電力を、複合装置１内の主要部にのみ内部電源電力として供給する蓄電省電力モードを実行し、蓄電省電力手段として機能している。すなわち、電源部４３は、外部から供給される外部電源電力から複合装置１内で利用する内部電源電力を生成する電源処理を行い、また、その省電力部で、蓄電省電力モードの制御を行う。また、電源部４３は、所定の電源ＯＦＦ待機時間を計時する電源ＯＦＦタイマ（ＯＦＦ時間計時手段）を備えており、この電源ＯＦＦ待機時間は、予め初期設定された適宜の時間であるが、操作表示部７で操作によっても適宜設定することができる。電源ＯＦＦタイマは、複合装置１の電源が投入されると、電源オフ待機時間の計時を開始するが、複合装置１に対して動作要求が発生したり、操作表示部７での操作が発生すると、コントローラ部２０によって計時時間がクリアされて、電源ＯＦＦ待機時間の計時を再度開始する。
【００２７】
電装部４４は、複合装置１の各部に配設されているソレノイド４４ａ、モータ４４ｂ及び各種センサ４４ｃ等であり、プリンタ制御部３０の制御下で動作する。センサ４４ｃは、用紙、原稿、モータ回転位置等を検出して、プリンタ制御部３０へ出力する。
【００２８】
人体検知センサ１１は、上述のように、人体の有無を検知して、検知結果をプリンタ制御部３０へ出力する。特に、人体検知センサ１１は、図３に示すように、複合装置１の周囲、特に、前方の所定範囲である人体検知領域Ａｈ内における人体の有無（人がいるか否か）を検知し、検知結果をプリンタ制御部３０へ出力する。この人体検知領域Ａｈは、例えば、複合装置１から１ｍ以内の領域等が設定されるが、適宜変更してもよい。すなわち、人体検知センサ１１は、複合装置１の周囲所定範囲における人体の有無を検出する人体検出処理を実行する。
【００２９】
ハードディスク４１は、コントローラ部２０の制御下で、画像データ及びその他のデータやプログラム等を記憶し、コントローラ部２０によって適宜に読み出される。
【００３０】
ＦＣＵ４２には、電話回線が接続されている。ＦＣＵ４２は、回線の捕捉、発信先電話番号である選択信号の送出、着信の検出等を行って、回線からの発呼に対する自動着呼処理、回線への自動発呼処理を行う。また、ＦＣＵ４２は、相手ファクシミリ装置との間でファクシミリ制御信号を交換して、Ｇ３及びＧ４のファクシミリ通信手順を実行する。
【００３１】
コントローラ部２０は、ＣＰＵ（Central Processing Unit ）２１、ＲＡＭ（Random Access Memory）２２、ＲＯＭ（Read Only Memory）２３、画像処理部２４、画像メモリ２５及びＩ／Ｆ（インターフェイス）２６等を備えている。
【００３２】
ＲＯＭ２３は、複合装置１の基本プログラム、本発明の電源制御プログラム及びシステムデータ、本実施例の電源制御処理に必要なデータを記憶している。
【００３３】
ＣＰＵ２１は、ＲＯＭ２３内のプログラムに基づいて、複合装置１の各部を制御して、複合装置１としての基本処理を実行するとともに、本発明の電源制御方法を実行する。
【００３４】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の電源制御方法を実行する電源制御プログラムを読み込んでＲＯＭ２３やハードディスク４１に導入することで、後述する外部電源電力が非供給の状態における蓄電電力の消費を抑制する電源制御方法を実行する電源制御部（電源制御装置）５０を搭載する画像処理装置として構築されている。この電源制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３５】
画像メモリ２５は、画像処理部２４による画像処理において該画像処理にかかる画像データを記憶する。
【００３６】
画像処理部２４は、ＣＰＵ２１の制御下で、スキャナ部３の読み取った画像データ、図示しないホスト装置から送信されてきた画像データを、出力処理に適した画像データに変換したり、出力に際して要求されている各種画像処理を実行する。
【００３７】
Ｉ／Ｆ２６は、ＬＡＮ（Local Area Network）等の通信回線に接続され、ＣＰＵ２１の制御下で、該通信回線に接続されているコンピュータ等のホスト装置との間で、画像データ及び制御信号の授受を行う。
【００３８】
コントローラ部２０は、図示しない省電力計時タイマ（省電力計時手段）を備えており、省電力タイマは、予め設定されている省電力待機時間を計時する。この省電力待機時間は、初期設定されているが、操作表示部７の操作によって適宜の時間を設定することができる。ＣＰＵ２１は、蓄電電力が通常動作可能な状態で供給されているときに、この省電力計時タイマが省電力待機時間を計時すると、上記電源部４３の蓄電省電力部に、電池スリープモード（蓄電省電力モード）を実行させる電池スリープモードへ移行させる。また、ＣＰＵ２１は、省電力計時タイマが省電力待機時間を計時中に、複合装置１に対する動作要求または操作表示部７での操作が発生すると、該省電力計時タイマの計時をクリアする。
【００３９】
そして、プリンタ制御部３０は、電装制御部３１、人体検出制御部３２、ヘッド制御部３３、電池制御部３４及びＩ／Ｆ３５等を備えており、Ｉ／Ｆ３５を介してコントローラ部２０と接続されている。
【００４０】
電装制御部３１は、ＣＰＵ２１の制御下で、電装部４４のセンサ４４ｃから検出信号をＣＰＵ２１へ出力し、また、電装部４４のソレノイド４４ａ、モータ４４ｂ等の駆動を制御して、用紙の給紙や原稿の搬送等の駆動制御を行う。
【００４１】
人体検出制御部３２は、ＣＰＵ２１の制御下で、人体検知センサ１１の駆動及び検出信号（人体検知フラグ）のＣＰＵ２１への出力を行う。具体的には、人体検出制御部３２は、人体検知センサ１１の検出信号が所定の検知閾値を超えると、人体を検知したことを示す人体検知フラグをＯＮにし、人体検知センサ１１の検出信号が該検知閾値未満であると、人体検知フラグをＯＦＦにする。
【００４２】
ヘッド制御部３３は、ＣＰＵ２１の制御下で、記録ヘッド４ａの位置制御及びノズル駆動制御を行う。すなわち、ヘッド制御部３３は、ＣＰＵ２１の制御下で、画像形成タイミングに応じて、記録ヘッド４ａのいち制御を行うとともに、画像データと標準パルスから画像データに対応したノズル列４ｂのノズルを駆動するヘッド駆動信号を記録ヘッド４ａへ出力する。
【００４３】
電池制御部３４は、ＣＰＵ２１の制御下で、複合装置１の電源モードと外部電源電力の供給／非供給状態に基づいて、上記電池部１０及び電源部４３の動作制御を行う。
【００４４】
そして、複合装置１は、その電源モードとして、電源ＯＦＦモード、電源駆動モード、電池スリープモード（蓄電電力モード）及び電池駆動モードを備えている。
【００４５】
ここで、電源ＯＦＦモードとは、メイン電源スイッチ４５がＯＦＦであり、商用電源電力のコンセントからの外部電源電力の入力がないモードである。
【００４６】
電源駆動モードとは、メイン電源スイッチ４５がＯＮで、電源プラグ４６が商用電源電力のコンセントに挿入され、電源部４３から複合装置１の各部へ電源電力を供給しているモードである。
【００４７】
電池スリープモードとは、電源プラグ４６が商用電源電力のコンセントに挿入されておらず、電池部１０の二次電池から電源部４３を介して複合装置１の主要部のみに蓄電電力を供給しているモードである。この電池スリープモードでは、電源部４３から複合装置１の主要部である人体検知センサ１１とコントローラ部２０の一部（ＣＰＵ２１、Ｉ／Ｆ２６等）及びＦＣＵ４２にのみ電力を供給する。複合装置１は、電源プラグ４６の商用電源電力のコンセントへの挿入が検出されないときに、ＣＰＵ２１の制御下で、電池スリープモードに移行する。
【００４８】
電池駆動モードとは、電源プラグ４６が商用電源電力のコンセントに挿入されておらず、電池部１０から電源部４３へ通常動作可能な蓄電電力を内部電源電力として供給しているモードである。この電池駆動モードでは、電源駆動モードと同様に、複合装置１の各部へ通常動作可能な内部電源電力を供給している。
【００４９】
そして、ＣＰＵ２１及び電池制御部３４は、全体として、電池部１０の電圧検出部が外部電源電力の非供給を検出し、人体検知センサ１１が人体を検出すると、電源部４３の切替回路に、電池部１０の蓄電電力を内部電源電力として複合装置１に供給させる電源制御処理を実行する電源制御手段として機能している。
【００５０】
次に、本実施例の作用を説明する。本実施例の複合装置１は、外部電源電力が非供給の状態における蓄電電力の消費を抑制する。
【００５１】
すなわち、複合装置１は，図４に示すように、メイン電源スイッチ４５がＯＦＦ（ＯＦＦ）、または、電源プラグ４６が商用電源電力のコンセントから引き抜かれている状態においては、電源ＯＦＦモードである（ステップＳ１０１）。複合装置１は、この電源ＯＦＦモードにおいては、ユーザがメイン電源スイッチ４５を投入するか、電源プラグ４６をコンセントに挿入してメイン電源スイッチ４５を投入するまで、動作しない。
【００５２】
複合装置１は、電源ＯＦＦモードで、ユーザによってメイン電源スイッチ４５が投入されると（ステップＳ１０２）、電池部１０の上記電圧検出部が、入力電源電力の電圧値を取得してコントローラ部２０のＣＰＵ２１へ出力する（ステップＳ１０３）。ＣＰＵ２１は、電圧値が入力されると、図５に示すタイマ処理を開始する（ステップＳ１０４）。
【００５３】
このタイマ処理は、複合装置１が動作を開始するための準備段階であるが、誤ったメイン電源スイッチ４５のＯＮ操作や、メイン電源スイッチ４５のＯＦＦ操作をユーザが忘れた場合に対応するための処理であり、電源電圧の検出動作とともに、タイマ処理を開始する。
【００５４】
ＣＰＵ２１は、電圧検出部の取得した電圧値が、所定の閾値電圧（例えば、外部電源電力の電圧値（ＡＣ１００Ｖ））以上であるか否かによって電源プラグ４６がコンセントに接続されているかチェックする（ステップＳ１０５）。
【００５５】
ステップＳ１０５で、コンセントに接続されていると（ステップＳ１０５で、ＹＥＳのとき）、ＣＰＵ２１は、電池部１０の切替回路に、外部電源電力を電源部４３へ供給させて、電源駆動モードへ移行する（ステップＳ１０６）。また、この場合、電池部１０の切替回路は、充電回路にも外部電源電力を供給し、充電回路に電池部１０の二次電池を充電させる。
【００５６】
複合装置１は、電源駆動モードへ移行すると、電源部４３が、電池部１０を通して供給される外部電源電力を、整流・整圧して、複合装置１の各部へ内部電源電力を供給し、動作可能状態になる。
【００５７】
ＣＰＵ２１は、動作可能状態になると、後述するタイマ処理で電源ＯＦＦフラグがＯＮに設定されているかチェックする（ステップＳ１０８）。
【００５８】
ＣＰＵ２１は、ステップＳ１０８で、電源ＯＦＦモードフラグがＯＮでないとき（ステップＳ１０８で、ＮＯのとき）、動作可能状態を継続し（ステップＳ１０７）、所定時間経過後、再度、電源ＯＦＦモードフラグがＯＮであるかチェックする（ステップＳ１０８）。
【００５９】
ステップＳ１０８で、電源ＯＦＦモードフラグがＯＮであると（ステップＳ１０８で、ＹＥＳのとき）、ＣＰＵ２１は、メイン電源スイッチ４５をＯＦＦして、電源ＯＦＦモードへ移行して処理を終了する（ステップＳ１０９）。すなわち、複合装置１は、電源駆動モードにおいては、動作要求、操作表示部７での操作が発生することなく、後述する電源ＯＦＦ待機時間経過すると、電源ＯＦＦモードフラグがＯＮになって、メイン電源スイッチ４５がＯＦＦし、電源ＯＦＦモードへ移行する。
【００６０】
ステップＳ１０５で、コンセントに接続されていないと（ステップＳ１０５で、ＮＯのとき）、ＣＰＵ２１は、図５に示すように、電池スリープモードへ移行し（ステップＳ１１０）、人体検知センサ１１の検知結果を取得する（ステップＳ１１１）。
【００６１】
ＣＰＵ２１は、人体検知センサ１１の検知結果から人が複合装置１に接近しているかチェックする（ステップＳ１１２）。すなわち、人体検知センサ１１は、図３に示したように、複合装置１の操作を行う場合に人がいる必要のある範囲を人体検知領域Ａｈとして、人体の有無を検知し、人体検出制御部３２へ出力する。人体検出制御部３２は、該人体検知センサ１１の検知結果を検知閾値と比較して、検知閾値を超えていると、人体検知フラグをＯＮにし、検出信号が該検知閾値未満であると、人体検知フラグをＯＦＦにする。ＣＰＵ２１は、ステップＳ１１２で、該人体検知フラグを調べることで、人の接近の有無を判断する。
【００６２】
ステップＳ１１２で、人体検知フラグがＯＮで、人の接近を検出すると（ステップＳ１１２で、ＹＥＳのとき）、ＣＰＵ２１は、電源部４３を制御して、電源部４３に電池部１０からの蓄電電力を複合装置１の各部へ内部電源電力を供給させて、電池駆動モードへ移行する（ステップＳ１１３）。なお、上記説明では、ＣＰＵ２１が、電源部４３を制御して、電池駆動モードへの移行を行っているが、人体検出制御部３２が、電池制御部３４に人体検知フラグを出力して、電池制御部３４が電源部４３の動作制御を行って、電池駆動モードへ移行させてもよい。また、人体検知センサ１１に基づく、電源部４３の制御は、ＣＰＵ２１が行ってもよいし、電池制御部３４が電源部４３の制御を行ってもよい。
【００６３】
複合装置１は、電池駆動モードで動作可能状態となり、ＣＰＵ２１は、所定時間間隔で、人体検知フラグを調べることで、人の離脱を検出したかチェックする（ステップＳ１１５）。なお、ＣＰＵ２１は、電池駆動モードで動作中には、操作表示部７のディスプレイ８に、「バッテリ駆動中」等の電池（バッテリ）で駆動中である旨の駆動状態を示す画面表示を行うとともに、「使用後には３歩離れることで省電力状態になります」等の電源ＯＦＦモードへの移行を分かりやすく解説する表示を行って、電池部１０の蓄電電力の消費を抑える。ここで、解説表示における「３歩」は、人体検知センサ１１の人体検知領域Ａｈを１ｍとしており、標準的な成人の歩幅が４０ｃｍ前後であることから、３歩離れることで人体検知センサ１１の人体検知領域Ａｈから離脱することを示している。したがって、「３歩」に限るものではなく、人体検知領域Ａｈの大きさや、基準とする歩幅等から歩数も変化する。
【００６４】
ステップＳ１１５で、人の離脱を検出しないとき（ステップＳ１１５で、ＮＯのとき）、ＣＰＵ２１は、ステップＳ１１４へ移行して、電池駆動モードによる動作可能状態を継続し、再度、人の離脱を検出したかチェックする（ステップＳ１１５）。
【００６５】
ステップＳ１１５で、人の離脱を検出すると（ステップＳ１１５で、ＹＥＳのとき）、ＣＰＵ２１は、ステップＳ１１０の電池スリープモードへ移行して、上記同様に処理する（ステップＳ１１０〜Ｓ１１５）。
【００６６】
ステップＳ１１２で、人の接近を検出しないとき（ステップＳ１１２で、ＮＯのとき）、ＣＰＵ２１は、電源ＯＦＦモードフラグがＯＮであるかチェックする（ステップＳ１１６）。
【００６７】
ステップＳ１１６で、電源ＯＦＦモードフラグがＯＦＦであると（ステップＳ１１６で、ＮＯのとき）、ＣＰＵ２１は、ステップＳ１１２に戻って、人の接近を検出したかの処理から上記同様に処理する（ステップＳ１１２〜Ｓ１１６）。
【００６８】
ステップＳ１１６で、電源ＯＦＦモードフラグがＯＮであると（ステップＳ１１６で、ＹＥＳのとき）、ＣＰＵ２１は、メイン電源スイッチ４５をＯＦＦして、電源ＯＦＦモードへ移行して処理を終了する（ステップＳ１０９）。
【００６９】
そして、ＣＰＵ２１は、図６に示すように、タイマ処理を行う。すなわち、ＣＰＵ２１は、上記電源部４３の電源ＯＦＦタイマをスタートさせ（ステップＳ２０１）、複合装置１の操作表示部７の操作や各種動作要求（プリント動作、コピー動作、ファクシミリ通信動作等の要求）があったかチェックする（ステップＳ２０２）。
【００７０】
ステップＳ２０２で、操作や動作要求があると（ステップＳ２０２で、ＹＥＳのとき）、ＣＰＵ２１は、電源ＯＦＦタイマをリセットし（ステップＳ２０３）、ステップＳ２０１に戻って、電源ＯＦＦタイマをスタートさせる処理から上記同様に処理する（ステップＳ２０１〜Ｓ２０３）。例えば、このタイマ処理では、カウンタに電源ＯＦＦ待機時間に対応する規定数をセットし、電源ＯＦＦタイマがカウント動作を開始して、電源ＯＦＦタイマのカウント値が、カウンタの規定数に一致するかチェックする。この規定数は、誤ったメイン電源スイッチ４５のＯＮ操作や、メイン電源スイッチ４５のＯＦＦ操作をユーザが忘れた場合の対処に十分な電源ＯＦＦ待機時間として初期規定数が設定されているが、操作表示部７の操作等で適宜変更することができる。
【００７１】
ステップＳ２０２で、操作や動作要求がないと（ステップＳ２０２で、ＮＯのとき）、電源ＯＦＦタイマが上記規定数をカウントしたかチェックする（ステップＳ２０４）。
【００７２】
ステップＳ２０４で、電源ＯＦＦタイマが規定数をカウントしていないと（ステップＳ２０４で、ＮＯのとき）、ＣＰＵ２１は、ステップＳ２０２に戻って、操作や動作があるかのチェックから上記同様に処理する（ステップＳ２０２〜Ｓ２０４）。
【００７３】
ステップＳ２０４で、電源ＯＦＦタイマが規定数をカウントしていると（ステップＳ２０４で、ＹＥＳのとき）、ＣＰＵ２１は、電源ＯＦＦモードフラグをＯＮにセットして、タイマ処理を終了する（ステップＳ２０５）。
【００７４】
このように、本実施例の複合装置１は、外部から供給される外部電源電力から複合装置（装置）１内で利用する内部電源電力を生成する電源部（電源手段）４３と、前記外部電源電力によって蓄電される蓄電電力を複合装置１内で利用する内部電源電力として生成する電池部（蓄電手段）１０と、前記外部電源電力の外部からの供給／非供給を検出する電池部１０の電圧検出部（外部電源電力状態検出手段）と、前記内部電源電力の前記複合装置１内への供給を制御する電源部４３の切替回路（電源供給制御手段）と、前記複合装置１の周囲所定範囲における人体の有無を検出する人体検知センサ（人体検出手段）１１と、前記電圧検出部が前記外部電源電力の非供給を検出し、前記人体検知センサ１１が人体を検出すると、前記切替回路に前記蓄電電力を前記内部電源電力として供給させるＣＰＵ２１及び電池制御部３４からなる電源制御手段と、を備えている。
【００７５】
したがって、人が複合装置１の周囲にいるときにのみ、電池部１０の蓄電池を内部電源電力として供給することができ、外部電源電力が非供給の状態における蓄電電力の消費を抑制することができる。
【００７６】
また、本実施例の複合装置１は、外部から供給される外部電源電力から複合装置１内で利用する内部電源電力を生成する電源処理ステップと、前記外部電源電力によって蓄電される蓄電電力を複合装置１内で利用する内部電源電力として生成する蓄電処理ステップと、前記外部電源電力の外部からの供給／非供給を検出する外部電源電力状態検出処理ステップと、前記内部電源電力の前記装置内への供給を制御する電源供給制御処理ステップと、複合装置１の周囲所定範囲における人体の有無を検出する人体検出処理ステップと、前記外部電源電力状態検出処理ステップで前記外部電源電力の非供給が検出され、前記人体検出処理ステップで人体が検出されると、前記電源供給制御処理ステップで前記蓄電電力を前記内部電源電力として供給させる電源制御処理ステップと、を有する電源制御方法を実行している。
【００７７】
したがって、人が複合装置１の周囲にいるときにのみ、電池部１０の蓄電池を内部電源電力として供給することができ、外部電源電力が非供給の状態における蓄電電力の消費を抑制することができる。
【００７８】
さらに、本実施例の複合装置１は、ＣＰＵ２１等の制御プロセッサに、外部から供給される外部電源電力から複合装置１内で利用する内部電源電力を生成する電源処理と、前記外部電源電力によって蓄電される蓄電電力を複合装置１内で利用する内部電源電力として生成する蓄電処理と、前記外部電源電力の外部からの供給／非供給を検出する外部電源電力状態検出処理と、前記内部電源電力の前記装置内への供給を制御する電源供給制御処理と、複合装置１の周囲所定範囲における人体の有無を検出する人体検出処理と、前記外部電源電力状態検出処理で前記外部電源電力の非供給が検出され、前記人体検出処理で人体が検出されると、前記電源供給制御処理で前記蓄電電力を前記内部電源電力として供給させる電源制御処理と、を実行させる電源制御プログラムを搭載している。
【００７９】
したがって、人が複合装置１の周囲にいるときにのみ、電池部１０の蓄電池を内部電源電力として供給することができ、外部電源電力が非供給の状態における蓄電電力の消費を抑制することができる。
【００８０】
また、本実施例の複合装置１は、前記電源供給制御手段としての電源部４３が、電池部１０の生成する蓄電電力を、複合装置１内の主要部にのみ内部電源電力として供給する蓄電省電力モードを実行する省電力部（蓄電省電力手段）を備え、ＣＰＵ２１及び電池制御部３４からなる電源制御手段が、前記外部電源電力状態検出手段としての電圧検出部が外部電源電力の非供給状態を検出し、前記人体検知センサ１１が、人体の検出状態から非検出状態になると、省電力部に前記蓄電省電力モードを実行させる。
【００８１】
したがって、蓄電電力を内部電源電力として供給している状態で、複合装置１の近くから人が離れると、蓄電電力モードへ移行することができ、外部電源電力が非供給の状態における蓄電電力の消費をより一層抑制することができる。
【００８２】
さらに、本実施例の複合装置１は、電源制御部５０が、所定の電源ＯＦＦ待機時間を計時するＯＦＦ時間計時手段（電源ＯＦＦタイマ）を、さらに備え、前記電源制御手段としてのＣＰＵ２１が、複合装置１に対する操作または動作要求が非発生の状態で、電源ＯＦＦタイマが前記電源ＯＦＦ待機時間を計時すると、前記電源供給制御手段としての電池部１０に前記内部電源電力の複合装置１内への供給を遮断させる。
【００８３】
したがって、操作や動作要求が発生することなく、電源ＯＦＦ待機時間が経過すると、内部電源電力の供給を遮断することができ、消費電力をより一層削減しつつ、複合装置１の安全確保を行うことができる。
【００８４】
また、本実施例の複合装置１は、前記電源制御手段としてのＣＰＵ２１、電池制御部３４が、前記蓄電省電力モードにおいて、人体検知センサ１１が人体を検出することなく、電源ＯＦＦタイマが前記電源ＯＦＦ待機時間を計時すると、電池部１０に前記内部電源電力の複合装置１内への供給を遮断させる。
【００８５】
したがって、電池スリープモード（蓄電省電力モード）において、複合装置１を操作する人がいなくなって、電源オフ待機時間が経過すると、内部電源電力の供給を遮断することができ、消費電力をより一層削減しつつ、複合装置１の安全確保を行うことができる。
【００８６】
さらに、本実施例の複合装置１は、電源制御部５０が、コントローラ部２０に、所定の省電力待機時間を計時する省電力計時タイマ（省電力計時手段）を、さらに備え、前記電源制御手段としてのＣＰＵ２１が、前記電源供給制御手段としての電源部４３が前記蓄電電力を内部電源電力として供給し、かつ、人体検知センサ１１が人体を検出している状態において、複合装置１に対する操作または動作要求が非発生の状態で、省電力計時タイマが前記省電力待機時間を計時すると、電源部４３の省電力部（蓄電省電力手段）に前記蓄電省電力モードを実行させる。
【００８７】
したがって、蓄電電力が供給されているときに、人が近くにいても、省電力待機時間の間、操作または動作要求を行わないと、ユーザが操作等を行わないと判断して、蓄電省電力モードへ移行することができ、消費電力をより一層削減することができる。
【００８８】
また、本実施例の複合装置１は、前記電源ＯＦＦ待機時間と前記省電力待機時間のうち少なくとも一方を設定する操作表示部（設定手段）７と、情報を報知出力するディスプレイ等の報知手段と、をさらに備え、前記電源制御手段としてのＣＰＵ２１が、操作表示部７による設定によって、前記電源ＯＦＦ待機時間が前記省電力時間よりも短くなると、該電源ＯＦＦ待機時間が該省電力時間よりも短いことを、ディスプレイに表示する等の方法で、該報知手段に報知出力させる。
【００８９】
したがって、電源ＯＦＦ待機時間が前記省電力時間よりも短く設定されることを防止することができ、電源制御の適正化を図ることができる。
【００９０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９１】
１  複合装置
２  本体筐体
３  スキャナ部
３ａ  ＡＲＤＦ
４  プリンタ部
４ａ  記録ヘッド
４ｂ  ノズル列
５  給紙部
６  排紙部
７  操作表示部
８  ディスプレイ
９  開閉カバー
１０  電池部
１１  人体検知センサ
２０  コントローラ部
２１  ＣＰＵ
２２  ＲＡＭ
２３  ＲＯＭ
２４  画像処理部
２５  画像メモリ
２６  Ｉ／Ｆ
３０  プリンタ制御部
３１  電装制御部
３２  人体検出制御部
３３  ヘッド制御部
３４  電池制御部
３５  Ｉ／Ｆ
４１  ハードディスク
４２  ＦＣＵ
４３  電源部
４４  電装部
４４ａ  ソレノイド
４４ｂ  モータ
４４ｃ  センサ
４５  メインスイッチ
４６  電源プラグ
４７  電源ケーブル
５０  電源制御部
Ａｈ  人体検知領域
【先行技術文献】
【特許文献】
【００９２】
【特許文献１】特開２００７−１９３３１１号公報
【図１】
2015123666.tif 000003
【図２】
2015123666.tif 000004
【図３】
2015123666.tif 000005
【図４】
2015123666.tif 000006
【図５】
2015123666.tif 000007
【図６】
2015123666.tif 000008